(57)【特許請求の範囲】
【請求項１】
筐体内に配置されたスイッチと、
筐体のフロントパネルに配置された化粧板の開口から先端部が露出され前記スイッチを外部から押圧操作するための操作ボタンと、
前記筐体内に固定される固定部と、前記固定部に対して揺動可能なヒンジ部と、前記操作ボタンを保持する保持部と、前記スイッチに対向する位置にスイッチの押圧部とを有する操作ボタンアダプタと
を備え、
前記操作ボタンは、前記保持部に遊嵌される挿入部を有し、
前記挿入部は、先端部に係合突起部を有し、
前記係合突起部は、前記操作ボタンの突き当て部が前記操作ボタンアダプタの操作ボタンストッパに当接するまで、前記挿入部が前記保持部の係合窓に挿入されることによって、前記保持部の係合部に係合しており、
前記挿入部と前記保持部の間に隙間があることを特徴とする
操作ボタンの取り付け構造。
【請求項２】
前記操作ボタンは、前記操作ボタンアダプタに対して前記化粧板と略平行な平面上を所定の距離移動することができることを特徴とする請求項１記載の操作ボタンの取り付け構造。
【請求項３】
前記スイッチは、前記筐体内に配置された回路基板に実装されていることを特徴とする請求項１または２記載の操作ボタンの取り付け構造。
【請求項４】
前記固定部は、前記筐体内の前記フロントパネルに固定されていることを特徴とする請求項１から３のいずれかに記載の操作ボタンの取り付け構造。
【請求項５】
筐体内に配置されたスイッチと、
筐体のフロントパネルに配置された化粧板の開口から先端部が露出され前記スイッチを外部から押圧操作するための操作ボタンと、
前記筐体内に固定される固定部と、前記固定部に対して揺動可能なヒンジ部と、前記操作ボタンを保持する保持部と、前記スイッチに対向する位置にスイッチの押圧部とを有する操作ボタンアダプタと
を備え、
前記操作ボタンは、前記保持部に遊嵌される挿入部を有し、
前記挿入部は、先端部に係合突起部を有し、
前記係合突起部は、前記操作ボタンの突き当て部が前記操作ボタンアダプタの操作ボタンストッパに当接するまで、前記挿入部が前記保持部の係合窓に挿入されることによって、前記保持部の係合部に係合しており、
前記挿入部と前記保持部の間に隙間があることを特徴とする
電子機器。
【発明の詳細な説明】
【技術分野】
【０００１】
本発明は、電子機器の筐体内に配置されるスイッチを筐体外部からの操作により動作させる電子機器の操作ボタンの取り付け構造及び操作ボタンの取り付け構造を備えた電子機器に関する。
【背景技術】
【０００２】
従来から、オーディオ機器等の電子機器のフロントパネルには操作ボタンが備えられており、操作ボタンを押圧することにより、電子機器の筐体内に配置された回路基板に実装される小型プッシュスイッチを操作できるようになっている。
【０００３】
操作ボタンを円滑に動作させるためには、操作ボタン、フロントパネル、小型プッシュスイッチの位置関係が精度良く管理されなければならず、またそのために操作ボタンのフロントパネルからの抜け止め用のツバの寸法、操作ボタンの小型プッシュスイッチを押圧する部分の寸法等に比較的高い精度が要求され、コストアップの要因となっていた。
【０００４】
そのような問題を解決するため、スイッチ本体と押しボタンとの間に、その下部にはスイッチ本体の頭部との嵌合部を有するとともに、その上部には押しボタンの下部を保持する保持部を有するアダプタを介在させた押しボタンスイッチが考案されている（例えば、実用新案文献１参照。）。
【先行技術文献】
【特許文献】
【０００５】
【特許文献１】実開平４−４６３３２号公報
【発明の概要】
【発明が解決しようとする課題】
【０００６】
電子機器のフロントパネルには化粧板が設けられている場合があり、その化粧板にある開口から操作ボタンの操作部が外側へ突出した構造の場合には、通常は化粧板をフロントパネルに貼り付けた後で操作ボタンをフロントパネルに取り付ける。各部品の取付け誤差、各部品の寸法公差、温度湿度等による部品伸縮を考慮して、粧板側の開口と操作ボタンの操作部の隙間を大きくする必要がある。その際、組立後の開口と操作ボタンの操作部の隙間が不均一となる場合には外観上の見栄えが悪くなるという問題がある。
【０００７】
実用新案文献１は、フロントパネルに対して押しボタンを動作方向について常に一定の状態に維持するものでる。また、実用新案文献１の構造においては隙間が考慮されていないため、アダプタに保持された押しボタンは常にアダプタに対して垂直姿勢を保つため、押しボタンがカバープレートに接触した場合、押しボタン操作部はカバープレートによるスレが発生し傾いた姿勢での動きとなるためスイッチのクリック感が損なわれる。
【０００８】
本発明は上記したような事情に鑑み成されたものであって、電子機器のフロントパネルの化粧板の開口に対して操作ボタンを最適な位置へ配置することを容易に行うことができる操作ボタンの取り付け構造及び操作ボタンの取り付け構造を備えた電子機器を提供することを目的とする。
【課題を解決するための手段】
【０００９】
上記目的を達成するために、本発明の操作ボタンの取り付け構造は、筐体内に配置されたスイッチと、筐体のフロントパネルに配置された化粧板の開口から先端部が露出され前記スイッチを外部から押圧操作するための操作ボタンと、前記筐体内に固定される固定部と、前記固定部に対して揺動可能なヒンジ部と、前記操作ボタンを保持する保持部と、前記スイッチに対向する位置にスイッチの押圧部とを有する操作ボタンアダプタとを備え、前記操作ボタンは前記保持部に遊嵌される挿入部を有し、前記挿入部と前記保持部の間に隙間があることを特徴とする。
【００１０】
また、本発明の電子機器は、筐体内に配置されたスイッチと、筐体のフロントパネルに配置された化粧板の開口から先端部が露出され前記スイッチを外部から押圧操作するための操作ボタンと、前記筐体内に固定される固定部と、前記固定部に対して揺動可能なヒンジ部と、前記操作ボタンを保持する保持部と、前記スイッチに対向する位置にスイッチの押圧部とを有する操作ボタンアダプタとを備え、前記操作ボタンは前記保持部に遊嵌される挿入部を有し、前記挿入部と前記保持部の間に隙間があることを特徴とする
【発明の効果】
【００１１】
本発明によれば、電子機器のフロントパネルの化粧板の開口に対して操作ボタンを最適な位置へ配置することを容易に行うことができる。
【図面の簡単な説明】
【００１２】
【図１】本発明による光ディスクレコーダの概観を示した図。
【図２】光ディスクレコーダを正面から見た図。
【図３】操作ボタンユニットを側面から見た断面図。
【図４】操作ボタンユニットを上部から見た平面図。
【図５】操作ボタンと操作ボタンアダプタの概観を示した斜視図。
【図６】操作ボタンと操作ボタンアダプタを組み合わせた状態の概観を示した斜視図。
【図７】化粧板がフロントパネルに対して水平方向にずれて貼り付けられた場合を示した図。
【図８】実施の形態２における操作ボタンと操作ボタンアダプタを示した図。
【図９】実施の形態３における操作ボタンユニットを側面から見た断面図。
【図１０】実施の形態３における化粧板の開口と操作ボタンを正面側から見た図。
【図１１】図９におけるＷ−Ｗ断面図。
【発明を実施するための形態】
【００１３】
以下本発明の実施例について図面を参照しながら説明する。
【００１４】
（実施の形態１）
図１は、電子機器である光ディスクレコーダ１の概観を示した図である。図２は光ディスクレコーダ１をフロントパネル３側の正面から見た図である。光ディスクレコーダ１は、光ディスクに対して映像情報や音声情報を記録したり再生する電子機器である。光ディスクレコーダ１の筐体２の前面側にはフロントパネル３が配置されている。
【００１５】
フロントパネル３には、光ディスクレコーダ１の電源をオン・オフするための操作ボタンや光ディスクレコーダ１の記録・再生動作を指示するための複数の操作ボタン７が配置されている。操作ボタン７は、フロントパネル３の表面に配置された化粧板４の開口５から先端部が正面側に露出されている。尚、筐体２の水平方向（左右方向）をＸ方向、奥行き方向（前後方向）をＹ方向、垂直方向（上下方向）をＺ方向とする。
【００１６】
図３は、操作ボタンユニット６を側面から見た断面図である。図４は、操作ボタンユニット６を上部から見た平面図である。図３は図４におけるＶ−Ｖ断面であり、図４は図３におけるＵ−Ｕ段面である。図３において、操作ボタンユニット６は、操作ボタン７、回路基板１３上に実装された小型プッシュスイッチ１４、操作ボタンアダプタ１６から構成されている。
【００１７】
小型プッシュスイッチ１４は、例えば、タクトスイッチ（登録商標）等とも呼ばれているモーメンタリ動作のスイッチで、ボタン１５を押しているときだけオン（またはオフ）になるタイプである。押すことを止めればボタン１５も回路も元に戻る。
【００１８】
操作ボタン７は、フロントパネル３に配置された化粧板４の開口５から操作部８が露出している。操作ボタン７は、操作ボタンアダプタ１６の操作ボタン７を保持するための保持部１７に挿入される挿入部９を有し、樹脂により一体成形されている。操作ボタン７は、全体または操作部８の表面にメッキ処理が施されており美観が高められている。
【００１９】
操作ボタン７の挿入部９は、保持部１７に対して遊嵌されている。遊嵌とは遊びをもった状態で嵌合されている状態であり、嵌めたものと、嵌められたものとの間に動くことのできる隙間がある状態となっている。挿入部９と保持部１７の間には水平方向と垂直方向に隙間があり、操作ボタン７は、操作ボタンアダプタ１６に対して化粧板４と略平行な平面上を水平方向（±Ｘ方向）と垂直方向（±Ｚ方向）に所定の距離を移動することができる。また、操作ボタン７は、操作ボタンアダプタ１６に対して化粧板４の開口５と略平行な平面上を水平方向（±Ｘ方向）と垂直方向（±Ｚ方向）に所定の距離を移動することができると言うこともできる。
【００２０】
操作ボタンアダプタ１６は、操作ボタン７を保持する保持部１７、筐体内のフロントパネルに固定される固定部１８と、固定部１８に対して揺動可能なヒンジ部１９と、小型プッシュスイッチ１４のボタン１５に対峙する位置に配置されたスイッチ押圧用の押圧部２０、回路基板当接部２１、ストッパ２２とを有する。これらが樹脂により一体成形されている。
【００２１】
固定部１８は、フロントパネル３と一体となってフロントパネル３から筐体２の内側に延在している操作ボタンアダプタ取り付け部２７に固定されている。固定部１８はコの字型の形状をした枠体であり、３箇所で操作ボタンアダプタ取り付け部２７に固定されている。
【００２２】
化粧板４の開口５に対応するフロントパネル３にはフロントパネル開口２８がある。フロントパネル開口２８の内側周辺には、誘い込みリブ２９が設けられている。誘い込みリブ２９は、操作ボタン７と操作ボタンアダプタ１６を組み合わせた後で、操作部８をフロントパネル開口２８に挿入する際に容易に挿入できるようにするためのものである。
【００２３】
ヒンジ部１９は、固定部１８と保持部１７、押圧部２０を連結する部分であり、操作ボタン7が人の手によって押された際にヒンジ部１９が撓んで押圧部２０がスイッチ１４の方向に移動可能となるようになっている。操作ボタン７の操作を受けてスイッチ押圧用の押圧部２０にてスイッチ１４のボタン１５が押圧され、スイッチ１４がオンまたはオフの動作をする。
【００２４】
固定部１８の回路基板１３に対向する側の面には回路基板当接部２１が設けられている。回路基板当接部２１は、固定部１８と回路基板１３の間隔が狭くならないようにして、押圧部２０とスイッチ１４のボタン１５との間隔を一定の状態に確保するものである。
【００２５】
ストッパ２２は、操作ボタン７が押されたときに、ストッパ２２の先端が回路基板１３に当接して、押圧部２０によってスイッチ１４のボタン１５が過度に押し込まれないようにするためのものである。
【００２６】
操作ボタンアダプタ１６の保持部１７には係合部２３が設けられており、操作ボタン７の挿入部９の先端部にある係合突起部１０が係合部２３と係合することによって、操作ボタン７は、保持部１７から抜けないように保持される。
【００２７】
図５は、操作ボタンアダプタ１６と操作ボタン７のそれぞれの概観を示す斜視図である。図５（ａ）は操作ボタンアダプタ１６、図５（ｂ）は操作ボタン７の斜視図である。図６は、操作ボタン７と操作ボタンアダプタ１６を組み合わせた状態の概観を示す斜視図である。図５に示したように、保持部１７には、係合窓２４が設けられている。操作ボタン７の挿入部９は、係合窓２４に挿入され、突き当て部１１が操作ボタンストッパ２５に当接するまで挿入されると、係合突起部１０が係合部２３と係合する。挿入部９は係合窓２４を通過する際に弾性変形して係合窓２４の内側を通過する。図６に示したように突き当て部１１が操作ボタンストッパ２５に当接すると、弾性変形した挿入部９は元の形状に戻って係合突起部１０が係合部２３と係合する。
【００２８】
図４、図５において、保持部１７の係合窓２４の水平方向（±Ｘ方向）の寸法Ａ、垂直方向（±Ｚ方向）の寸法Ｅ、挿入部９の水平方向（±Ｘ方向）の寸法Ｂ、垂直方向（±Ｚ方向）の寸法Ｆ（図３も参照）の関係は、Ａ＞Ｂ、Ｅ＞Ｆとなっている。挿入部９と保持部１７の係合窓２４の隙間をＧ、Ｈとし、Ａ−Ｂ＝Ｇ、Ｅ−Ｆ＝Ｈとすると、操作ボタン７は、操作ボタンアダプタ１６に対して化粧板４と略平行な平面上を水平方向（±Ｘ方向）に距離Ｇ、垂直方向（±Ｚ方向）に距離Ｈの範囲内を移動することができる。一方、図６に示したように突き当て部１１が操作ボタンストッパ２５に当接し、係合突起部１０が係合部２３と係合するため、奥行き方向（±Ｙ方向）には移動することができない。
【００２９】
図４において、係合窓２４と挿入部９の隙間の距離Ｋ１、Ｋ２の長さが略同じ場合には、Ｋ１≒Ｋ２≒Ｇ／２である。化粧板４の開口５の水平方向（±Ｘ方向）の寸法Ｃと操作ボタン７の操作部８の水平方向（±Ｘ方向）の寸法Ｄの差をＣ−Ｄ＝Ｊとする。化粧板４の開口５と操作ボタン７の隙間の距離Ｌ１、Ｌ２が略同じ場合にはＬ１≒Ｌ２≒Ｊ／２である。化粧板４がフロントパネルに対してずれていない場合には、Ｋ１≒Ｋ２≒Ｇ／２、Ｌ１≒Ｌ２≒Ｊ／２となっている。
【００３０】
図７は、化粧板４がフロントパネル３に対して正規の位置から水平方向（Ｘ方向）にずれ量Ｍずれた状態で貼り付けられた場合を示した図である。このとき操作ボタン７を操作ボタンアダプタ１６に対して中立位置（Ｋ１≒Ｋ２≒Ｇ／２）からずれ量Ｍずらしてやれば、操作ボタン７の操作部８を化粧板４の開口５の水平方向（±Ｘ方向）の中央に位置させることができる。つまり、Ｌ１≒Ｌ２≒Ｊ／２を保つことができる。従ってずれ量Ｍの大きさがＧ／２以内であれば、操作ボタン７の操作部８を化粧板４の開口５の略中央に位置させることができる。
【００３１】
化粧板４がフロントパネル３に対して正規の位置から垂直方向（±Ｚ方向）にずれ量Ｎずれた状態で貼り付けられた場合には、操作ボタン７を操作ボタンアダプタ１６に対して中立位置からずれ量Ｎずらしてやれば、操作ボタン７の操作部８を化粧板４の開口５の垂直方向の中央に位置させることができる。ずれ量Ｎの大きさがＨ／２以内であれば、操作ボタン７の操作部８を化粧板４の開口５の略中央に位置させることができる。
【００３２】
以上のように、操作ボタンユニット６の操作側の部分を操作ボタン７と操作ボタンアダプタ１６の２部品の構成とし、操作ボタン７が操作ボタンアダプタ１６に対して水平方向（±Ｘ方向）と垂直方向（±Ｚ方向）に移動可能となるような構成にすることによって、フロントパネル３に対して化粧板４の位置がずれて組み立てられた場合でも、化粧板４の開口５に対して操作ボタン７を最適な位置へ配置することを容易に行うことができる。
【００３３】
また、化粧板４の開口５と操作部８の隙間（Ｌ１、Ｌ２）が小さい場合でも、隙間の大きさを均一にすることができ、外観の品位の向上を図ることができる。更に、組立後の高温高湿度の環境においても、部品の伸縮に影響を受けることなく信頼性の高い構造とすることができる
【００３４】
（実施の形態２）
図８は、実施の形態２における操作ボタン３０と操作ボタンアダプタ３５を示した図である。この実施の形態２の各部について、図３に示す実施の形態１の操作ボタンユニット６の各部と同一部分は同一符号である。実施の形態１と異なる点は、操作ボタン３０の挿入部３１の係合突起部３２の向きが異なる点である。実施の形態１の係合突起部１０はそれぞれ外側に向かって突起していたが、実施の形態２の係合突起部３２はそれぞれ内側に向かって突起している。
【００３５】
操作ボタンアダプタ３５の保持部３６には係合部３７が設けられており、操作ボタン３０の挿入部３１の先端部にある係合突起部３２が係合部３７と係合することによって、操作ボタン３０は、保持部３６から抜けないように保持される。挿入部３１が保持部３６に挿入されると、挿入部３１は係合部３７側を跨ぐようにして係合する。
【００３６】
（実施の形態３）
図９は、実施の形態３における操作ボタンユニット４１を側面から見た断面図である。この実施の形態３の各部について、図３に示す実施の形態１の操作ボタンユニット６の各部と同一部分は同一符号である。実施の形態１と異なる点は、化粧板４の開口４０と操作ボタン４２の外形が略円形であり、それに伴って操作ボタンアダプタ４６の保持部４７の挿入窓４９が略円形となり、挿入部４３が放射状に配置されている点である。図１０は、化粧板４の開口５１と操作ボタン４１を光ディスクレコーダの正面側から見た図である。図１１は図９におけるＷ−Ｗ断面である。
【００３７】
操作ボタン４２の挿入部４３は、保持部４７に対して遊嵌されている。遊嵌とは遊びをもった状態で嵌合されている状態であり、嵌めたものと、嵌められたものとの間に動くことのできる隙間がある状態となっている。挿入部４３と保持部４７の間には隙間があり、操作ボタン４２は、操作ボタンアダプタ４６に対して化粧板４と略平行な平面において所定の距離を移動することができる。
【００３８】
操作ボタンアダプタ４６は、操作ボタン４２を保持する保持部４７、筐体内のフロントパネルに固定される固定部４８と、固定部４８に対して揺動可能なヒンジ部４９と、小型プッシュスイッチ１４のボタン１５に対峙する位置にスイッチ押圧用の押圧部５０、回路基板当接部５１、ストッパ５２とを有する。これらが樹脂により一体成形されている。
【００３９】
固定部４８、ヒンジ部４９は、押圧部５０、回路基板当接部５１、ストッパ５２の機能は、それぞれ実施の形態１における固定部１８、ヒンジ部１９は、押圧部２０、回路基板当接部２１、ストッパ２２と同等であるので、説明を省略する。
【００４０】
操作ボタンアダプタ４６の保持部４７には係合部５３が設けられており、操作ボタン４２の挿入部４３の先端部にある係合突起部４４が係合部５３と係合することによって、操作ボタン４２は、保持部４７から抜けないように保持される。
【００４１】
図９において、係合窓５４の内直径の寸法Ｐと挿入部４３の外直径の寸法Ｑの関係は、Ｐ＞Ｑとなっている。Ｐ−Ｑ＝Ｒとすると、操作ボタン４２は、操作ボタンアダプタ４６に対して化粧板４と略平行な平面上を距離Ｒの範囲内において移動することができる。
【００４２】
化粧板４がフロントパネル３に対してずれ量Ｓずれて貼り付けられた場合には、操作ボタン４２を操作ボタンアダプタ４６に対して中立位置からずれ量Ｓずらしてやれば、操作ボタン４２は化粧板４の開口５１の中央に位置させることができる。ずれ量Ｓの大きさがＲ／２以内であれば、操作ボタン４２を化粧板４の開口５１の略中央に位置させることができる。
【００４３】
以上のように、操作ボタンユニット４１の操作ボタン４２と操作ボタンアダプタ４６の２部品の構成とし、操作ボタン４２が操作ボタンアダプタ４６に対して移動可能となるような構成にすることによって、フロントパネル３に対して化粧板４の位置がずれて組み立てられた場合でも、化粧板４の開口４０に対して操作ボタン４２を最適な位置へ配置することを容易に行うことができる。
【００４４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００４５】
１  電子機器
２  筐体
３  フロントパネル
４  化粧板
５  開口
６  操作ボタンユニット
７  操作ボタン
８  操作部
９  挿入部
１０  係合突起部
１３  回路基板
１４  スイッチ
１５  ボタン
１６  操作ボタンアダプタ
１７  保持部
１８  固定部
１９  ヒンジ部
２０  押圧部
２１  回路基板当接部
２２  ストッパ
２３  係合部
２４  係合窓
２５  操作ボタンストッパ
２７  ボタンアダプタ取り付け部
２８  フロントパネル開口
２９  誘い込みリブ
【図１】
0005479122.tif 000002
【図２】
0005479122.tif 000003
【図３】
0005479122.tif 000004
【図４】
0005479122.tif 000005
【図５】
0005479122.tif 000006
【図６】
0005479122.tif 000007
【図７】
0005479122.tif 000008
【図８】
0005479122.tif 000009
【図９】
0005479122.tif 000010
【図１０】
0005479122.tif 000011
【図１１】
0005479122.tif 000012